(57)【要約】【課題】ゲージ盤に水平検出手段を設けることにより、ゲージ盤の水平確認を容易に行うことが可能な遊技機を提供すること。【解決手段】ゲージ盤１０２の設置の際に、水準器１０６を見ることにより、ゲージ盤１０２が水平に遊技枠１０１に嵌め込まれているか否かを容易に確認することが出来る。ゲージ盤１０２が傾斜しているときは、傾斜調整ダイヤル１０５を調整することによりゲージ盤１０２が水平となるように水平補正する。ゲージ盤が正確に水平に設置されていない場合の、実際の遊技者の遊技における支障の発生を防止することが出来る。【選択図】　図３
2004065856.tif 000002
【特許請求の範囲】
【請求項１】
遊技を行うための遊技領域が構成されたゲージ盤を備えた遊技機であって、
前記ゲージ盤には、
前記遊技領域以外の領域に水平か否かを視認可能とするための水平検出手段が設けられていることを特徴とする遊技機。
【請求項２】
請求項１に記載の遊技機において、
前記水平検出手段は水準器であることを特徴とする遊技機。
【発明の詳細な説明】
【０００１】
【発明の属する技術分野】
本発明は、遊技を行うための遊技領域が構成されたゲージ盤を備えた遊技機に関する。
【０００２】
【従来の技術】
従来より、遊技者が遊技を支障なく行うために、ゲージ盤を正確に水平に設置することが要求されている。ゲージ盤が正確に水平に設置されていないと、遊技球がゲージ盤に対して垂直方向に流下又は転動せず、遊技球の特別図柄入賞口や普通図柄入賞口等への入賞率が変化し遊技に支障をきたすことになるからである。特開平９−１５５０５５号公報には、前方の傾斜角度を測定し得る傾斜計が外枠に配設されたパチンコ機が開示されている。
【０００３】
【発明が解決しようとする課題】
しかしながらこのような従来の遊技機においては、パチンコ機が前方に傾斜した場合には傾斜計を見ることにより確認することができるが、横方向等に傾斜した場合には、この傾斜を確認することができないという問題があった。すなわち、遊技者が遊技を支障なく行うために必要とされる、ゲージ盤を正確に水平に設置するための構成は提案されていなかった。
【０００４】
本発明は、このような従来の課題を解決するためになされたものであり、ゲージ盤に水平検出手段を設けることにより、ゲージ盤の水平確認を容易に行うことが可能な遊技機を提供することを目的とする。
【０００５】
【課題を解決するための手段】
上記目的を達成するために、本発明は、遊技を行うための遊技領域が構成されたゲージ盤（ゲージ盤１０２）を備えた遊技機（遊技機１００）であって、前記ゲージ盤には、前記遊技領域以外の領域に水平か否かを視認可能とするための水平検出手段（水準器１０６）が設けられていることを特徴とする。
【０００６】
このような発明によれば、水平検出手段がゲージ盤に設けられているので、ゲージ盤の設置の際に水平確認をして水平補正を行い正確に水平に設置することで、実際の遊技者の遊技における、遊技球がゲージ盤に対して垂直方向に流下又は転動しない等の支障の発生を防止することが出来る。
【０００７】
また、上述の発明において、水平検出手段は水準器であってもよい。このような構成により、ゲージ盤の設置の際に水平確認を容易に行うことが出来る。
【０００８】
【発明の実施の形態】
以下、本発明の実施の形態を図面を参照しつつ説明する。
【０００９】
（構成）
図１は遊技機１００の模式的な説明図である。１０１は遊技機枠、１０２はゲージ盤、１０３はファスナーラッチ、１０４はベニヤ飾り、１０５は傾斜調整ダイヤル、１０６は水準器である。遊技機１００は、遊技機枠１０１の中央部分の方形状の開口部に、前面に遊技を行うための遊技領域が構成されたゲージ盤１０２が嵌め込まれて構成されている。その他にもゲージ盤１０２の前面を覆う透明板や、ゲージ盤１０２の周囲を装飾し演出を行う演出装置等を備えているが、本発明の要旨と関係を有しないため、説明を省略する。
【００１０】
ゲージ盤１０２は、遊技機枠１０１の中央部分の開口部に嵌め込まれ、所定の箇所に設けられたファスナーラッチ１０３との固定機構によって固定されている。ゲージ盤１０２は、遊技領域の下方に、この遊技領域を下方から支持するベニヤ飾り１０４が構成されている。また、ゲージ盤１０２は、下部に傾斜を調節するための傾斜調節ダイヤル１０５を備えている。
【００１１】
図２は傾斜調節ダイヤル１０５の拡大図である。傾斜調節ダイヤル１０５は、ゲージ盤１０２の下部から下方に向かって取り付けられたボルトナット機構等によって、遊技機枠１０１を押してゲージ盤１０２自体を押し上げることによりゲージ盤１０２の傾斜を調整する。このボルトナット機構は遊技機枠１０１に、上方に向かって取り付けられたものであっても良い。
【００１２】
図３はゲージ盤１０２の下部のベニヤ飾り１０４近傍の拡大図である。ゲージ盤１０２は、図３に示すように、遊技領域以外であって遊技球が流下しない領域のベニヤ飾り１０４近傍に水準器１０６が設けられている。図４は図３に示す水準器１０６のＡ−Ａ断面図である。ベニヤ飾り１０４には、図４に示すように、水準器１０６を取り付けるための凹部が構成され、その前面側に水準器１０６を固定する固定爪と、裏面側に水準器１０６を取り外すための孔が形成されており、水準器１０６は、固定爪に押し付けるようにしてこの凹部に嵌め込まれて、固定されている。この水準器１０６は、例えば筒状の部材内部に液体が充填され、その液体内に気泡や小球が入れられて構成されたものであり、この気泡や小球の水準器１０６内部での位置を見ることによりゲージ盤１０２の水平確認をすることができる。
【００１３】
（作用効果）
次に本実施の形態における遊技機が上述のような構成を有することにより奏される効果について説明する。例えば、遊技機の機種を変更する際において、ゲージ盤１０２を所定の箇所に設けられた固定機構のための穴にファスナーラッチ１０３を通すようにして、遊技機枠１０１の開口部に嵌め込み、ファスナーラッチ１０３をひねることによりゲージ盤１０２を固定する。
【００１４】
このとき、水準器１０６を見ることにより、ゲージ盤１０２が水平に遊技枠１０１に嵌め込まれているか否かを容易に確認することが出来る。ゲージ盤１０２が傾斜しているときは、傾斜調整ダイヤル１０５を調整することによりゲージ盤１０２が水平となるように水平補正する。このように、水準器１０６がゲージ盤１０２に設けられていることにより、実際に遊技者が遊技を行うゲージ盤１０２の設置の際の水平確認を容易に行うことが出来る。ゲージ盤１０２が傾斜している場合には、傾斜調整ダイヤル１０５により傾斜を補正し、ゲージ盤が正確に水平に設置されていない場合の、実際の遊技者の遊技における支障の発生を防止することが出来る。水準器１０６は、ゲージ盤１０２の遊技領域以外のベニヤ飾り１０４の近傍に設けられているため、遊技球に接触することも無く狂いを生じることは無い。また、この水準器１０６は、汎用部品であり取り外して容易に再使用することが出来る。
【００１５】
水準器１０６がゲージ盤１０２に設けられていることにより、遊技機の装置本体を水平に取り付けられたとしても、例えば遊技枠１０１がかしいでしまい、ゲージ盤１０２が傾き水平とならないという場合であっても、ゲージ盤１０２自体の水平確認と水平補正により適切に対処することが出来る。
【００１６】
以上のような本実施の形態における遊技機によれば、水準器１０６がゲージ盤１０２に設けられ、ゲージ盤１０２の設置の際に水平確認をしさらに水平補正により正確に水平に設置することで、実際の遊技者の遊技における、遊技球がゲージ盤１０２に対して垂直方向に流下又は転動しない等の支障の発生を防止することが出来る。
【００１７】
なお、以上本発明の実施の形態について説明したが、本発明の要旨を逸脱しない範囲内で上記実施形態に種々の変形や変更を施すことが可能となる。例えば、上述の実施の形態では水準器１０６を１箇所に設けたが、ゲージ盤１０２上の遊技領域以外の遊技球が流下しない領域の複数箇所に設けることも可能である。
【発明の効果】
以上説明してきたように、本発明によれば、ゲージ盤に水平検出手段を設けることにより、ゲージ盤の水平確認を容易に行うことが可能な遊技機を提供することができる。
【図面の簡単な説明】
【図１】遊技機１００の正面の模式的説明図である。
【図２】傾斜調整ダイヤル１０５の拡大図である。
【図３】ゲージ盤１０２のベニヤ飾り１０４近傍の拡大図である。
【図４】図３における水準器１０６のＡ−Ａ断面図である。
【符号の説明】
１００　遊技機
１０１　遊技機枠
１０２　ゲージ盤
１０３　ファスナーラッチ
１０４　ベニヤ飾り
１０５　傾斜調整ダイヤル
１０６　水準器
【図１】
2004065856.tif 000003
【図２】
2004065856.tif 000004
【図３】
2004065856.tif 000005
【図４】
2004065856.tif 000006